(57)【要約】【課題】  装置の小型化や長寿命化の妨げとならず、帯電されたトナー像を担持し得る像担持回転体の静電転写後の表面（担持面）に残留するトナーを効率良く除去することができるクリーニング装置等を提供する。【解決手段】  像担持回転体（２）の転写後の表面に接触して回転するように設置されるとともに第１バイアス電圧が印加されるクリーニング回転ブラシ（１０）と、像担持回転体の回転方向（Ａ）においてクリーニング回転ブラシ（１０）よりも下流側となる位置でその像担持回転体（２）の表面とそのクリーニング回転ブラシ（１０）の外周部の双方に接触して回転するように配置されるとともに第２バイアス電圧が印加されるクリーニング回転ロール（２０）と、このクリーニング回転ロール（２０）に付着するトナーを除去する除去部材（３０）を備えている。【選択図】    図１
2006267946.tif 000002
【特許請求の範囲】
【請求項１】
帯電されたトナー像を被転写体に静電転写した後の像担持回転体の表面に付着する残留トナーを除去するクリーニング装置であって、
前記像担持回転体の転写後の表面に接触して回転するように設置されるとともに第１バイアス電圧が印加されるクリーニング回転ブラシと、
前記像担持回転体の回転方向において前記クリーニング回転ブラシよりも下流側となる位置でその像担持回転体の表面とそのクリーニング回転ブラシの外周部の双方に接触して回転するように配置されるとともに第２バイアス電圧が印加されるクリーニング回転ロールと、
このクリーニング回転ロールに付着するトナーを除去する除去部材と
を備えていることを特徴とするクリーニング装置。
【請求項２】
前記第１バイアス電圧と第２バイアス電圧は、前記クリーニング回転ブラシで除去した残留トナーを前記クリーニング回転ロール側に静電的に吸着させる電界を形成する電位関係に設定されている請求項１に記載のクリーニング装置。
【請求項３】
前記像担持回転体の裏面側で前記クリーニング回転ブラシと対向する位置に、第３バイアス電圧が印加されるブラシ用対向電極を設置し、かつ、その像担持回転体の裏面側で前記クリーニング回転ロールと対向する位置に、第４バイアス電圧が印加されるロール用対向電極を設置する請求項１または２に記載のクリーニング装置。
【請求項４】
前記クリーニング回転ロールの回転速度は、前記クリーニング回転ブラシの回転速度以下の速度に設定されている請求項１に記載のクリーニング装置。
【請求項５】
像担持回転体の表面に形成される帯電されたトナー像を被転写体に静電転写した後に、その像担持回転体の表面に付着する残留トナーを除去するクリーニング装置を有する画像形成装置であって、そのクリーニング装置として請求項１ないし３のいずれかに記載のクリーニング装置を使用することを特徴とする画像形成装置。
【発明の詳細な説明】
【技術分野】
【０００１】
本発明は、帯電されたトナー像を被転写体に静電転写した後の像担持回転体の表面に付着する残留トナーを除去するためのクリーニング装置等に関するものであり、主に、トナーからなる画像を形成するプリンタ、複写機、複合機等の画像形成装置における像担持回転体のクリーニング装置として適用できるものである。
【背景技術】
【０００２】
一般に、電子写真方式、静電記録方式等を利用してトナー（粉体現像剤）からなる画像を形成する画像形成装置においては、回転する感光体等の像担持回転体に画像情報に基づくトナー像を形成した後、そのトナー像を記録シートに直接転写するか、または回転する中間転写体（像担持回転体）に一次転写した後にその中間転写体を介して記録シートに二次転写するという各転写工程を経ることによって、最終的にその記録シートに画像を形成するようになっている。
【０００３】
この場合の上記各転写工程は、その転写対象となるトナー像が所定の極性に帯電されたトナーにより構成されているため、各転写部にバイアス電圧を印加する転写装置を設置し、そのバイアス電圧の印加によりその帯電トナー像が被転写材（記録シート、中間転写体など）に対して静電的に吸着される転写電界を形成した状態で行われることが多い。
【０００４】
ところが、このような画像形成が行われる画像形成装置においては、上記各転写工程の後に感光体、中間転写体等の像担持回転体の表面に残留して付着するトナーが存在するため、通常、この残留トナーを除去するためのクリーニング装置が装備されている。
【０００５】
この種のクリーニング装置としては、種々のものが知られているが、以下に示すように工夫を凝らしたものも提案されている。
【０００６】
たとえば、回転する像担持体の表面にバイアス電圧を印加したクリーニング回転ブラシとクリーニングブレードを接触させるように設置し、単色画像を形成するときにはそのブレードを像担持体から離してクリーニング回転ブラシのみで清掃を行い、複数色の画像を形成するときにはそのブレードを像担持体に接触させてクリーニング回転ブラシとクリーニングブレードの双方で清掃を行うように構成したクリーニング装置が提案されている（特許文献１）。このクリーニング装置では、特に、クリーニングブレードの寿命を延ばすとともに、複数色の画像を形成する際に複数色のトナーの除去性を高めることができるとされている。
【０００７】
また、光導電性ベルト等の可動表面に、第１バイアスを有する第１の清掃手段と、その表面の移動方向において第１清掃手段より下流側に配置された第２のバイアスを有する第２の清掃手段とを備えたクリーニング装置が提案されている（特許文献２）。第１清掃手段および第２清掃手段としては、具体的に、回転するクリーニング回転ブラシを使用することが例示されている。このクリーニング装置では、特にマイナス帯電性のトナーを、予備清掃コロトロンを使用せずに除去することができるとされている。
【０００８】
さらに、回転する像担持体に当接して回転するクリーニングローラと、このクリーニングローラよりも像担持体の回転方向上流側に配置されてその像担持体の表面とクリーニングローラの表面とを摺擦するクリーニングブラシローラとを備えたクリーニング装置が提案されている（特許文献３）。このクリーニング装置では、特に、高品質の画像を形成する小粒径の球形トナーが転写後に残留しても除去することができるとされている。
【０００９】
【特許文献１】特開平５−８０６７６号公報
【特許文献２】特開平１０−１０９４２号公報
【特許文献３】特開２００２−３４１７１８号公報
【発明の開示】
【発明が解決しようとする課題】
【００１０】
しかしながら、これらのクリーニング装置にあっては、以下のような問題点が個々にある。
【００１１】
まず、特許文献１で提案されているクリーニング装置では、単色画像の形成時にクリーニング回転ブラシのみですべての残留トナーを除去すること（たとえば正規の極性とは逆の逆極性に帯電したトナーなどの静電的な除去）が困難である。また、複数色画像の形成時には少なくともブレードを用いることになるので、そのブレード自体の磨耗のほか像担持体の磨耗も発生してそのいずれの長寿命化も難しい。
【００１２】
また、特許文献２で提案されているクリーニング装置では、たとえば、光導電性ベルトの回転方向上流側に配置される第１クリーニング回転ブラシではマイナス極性の第１バイアスを印加することで正帯電した残留トナーを除去し、その下流側に配置される第２クリーニング回転ブラシではプラス極性の第２バイアスを印加することで負帯電した残留トナーを除去することで、光導電性ベルト上に存在する極性の異なる残留トナーの除去が可能になるとされている。しかし、その２つのクリーニング回転ブラシで除去したトナーは、その各回転ブラシに当接してバイアスも印加されるトナー除去ロールによりそれぞれ除去するようにしているので、その複数の除去ロールの配置や、その各除去ロールで除去したトナーの回収部の個々の設置や、回転ブラシに加えて各除去ロールへの給電設備の設置等のために装置自体が大型化しやすいという難点があった。
【００１３】
また、特許文献３で提案されているクリーニング装置にあっては、クリーニングブラシローラにより像担持体上にある残留トナーとクリーニングローラ上にある残留トナーとを除去するとされている。しかし、その回転するブラシロールでクリーニングローラ上に付着するトナーを除去することは、そのブラシに直流のバイアスのみを印加している限りはトナーのかき取り効率が悪い。つまり、その印加しているバイアスの電位関係では、静電的な力が働かないので、クリーニングローラからブラシローラにトナーを回収するのは難しい。また、そのかき取り効率が悪いことが悪いことに加えて、そのブラシローラに付着するトナーを当接するスクレーパブレードで除去しているのでブラシ毛が変形しやすく長寿命化が難しい。
【００１４】
ちなみに、特許文献３には、そのクリーニングローラに３００〜５００Ｖのバイアスを印加する一方、そのクリーニングブラシに−３００〜−５００Ｖのバイアスを印加して、そのクリーニングブラシローラではプラス極性の残留トナーを回収し、これによってそのクリーニングローラではマイナス極性の残留トナーを回収する実施例が示されている。しかし、このような２つのバイアスの電位関係にあって、上記クリーニングローラで回収したマイナス極性の残留トナーが上記クリーニングブラシローラ側にどのようにして回収されているのかは不可解である。つまり、このバイアスの電位関係であると、クリーニングローラに回収されたトナーは、ブラシローラ側に静電的に回収される力が発生しにくく、機械的なかき取り力しか働かないと考えられる。
【００１５】
本発明は、以上のような事情に鑑みてなされたものであり、装置の小型化や長寿命化の妨げとならず、帯電されたトナー像を担持し得る像担持回転体の静電転写後の表面（担持面）に残留するトナーを効率良く除去することができるクリーニング装置およびそれを用いた画像形成装置を提供するものである。
【課題を解決するための手段】
【００１６】
本発明のクリーニング装置は、帯電されたトナー像を被転写体に静電転写した後の像担持回転体の表面に付着する残留トナーを除去するクリーニング装置であって、前記像担持回転体の転写後の表面に接触して回転するように設置されるとともに第１バイアス電圧が印加されるクリーニング回転ブラシと、前記像担持回転体の回転方向において前記クリーニング回転ブラシよりも下流側となる位置でその像担持回転体の表面とそのクリーニング回転ブラシの外周部の双方に接触して回転するように配置されるとともに第２バイアス電圧が印加されるクリーニング回転ロールと、このクリーニング回転ロールに付着するトナーを除去する除去部材とを備えていることを特徴とするものである。
【００１７】
また、このクリーニング装置においては、その第１バイアス電圧と第２バイアス電圧について、前記クリーニング回転ブラシで除去した残留トナーを前記クリーニング回転ロール側に静電的に吸着させる電界を形成する電位関係に設定するとよい。このときの電位関係の設定は、たとえば、クリーニング回転ブラシで除去する予定の残留トナーの帯電極性を基準にして選定することができる。
【００１８】
また、上記各クリーニング装置においては、その像担持回転体の裏面側でクリーニング回転ブラシと対向する位置に、第３バイアス電圧が印加されるブラシ用対向電極を設置し、かつ、その像担持回転体の裏面側でクリーニング回転ロールと対向する位置に、第４バイアス電圧が印加されるロール用対向電極を設置するとよい。
【００１９】
さらに、上記各クリーニング装置においては、クリーニング回転ロールの回転速度を、前記クリーニング回転ブラシの回転速度以下の速度に設定するとよい。
【００２０】
また、本発明の画像形成装置は、像担持回転体の表面に形成される帯電されたトナー像を被転写体に静電転写した後に、その像担持回転体の表面に付着する残留トナーを除去するクリーニング装置を有する画像形成装置であって、そのクリーニング装置として上記したいずれかの構成からなるクリーニング装置を使用することを特徴とするものである。
【発明の効果】
【００２１】
このようなクリーニング装置および画像形成装置によれば、像担持回転体の静電転写後の表面に残留するトナーが、その転写後に先に到達するクリーニング回転ブラシにおいて第１バイアスの印加条件で形成される電界の影響をうけて静電的に回転ブラシ側に吸着されることで除去されることに加え、その回転ブラシで除去されない残留トナーがその下流側に位置するクリーニング回転ロールにおいて第２バイアスの印加条件で形成される電界の影響を受けて静電的に回転ロール側に吸着されることで除去される。また、クリーニング回転ロールは、クリーニング回転ブラシに付着するトナーをその回転ブラシの外周部との接触回転により除去して回収するとともに、自己のロール表面に付着するトナーが最終的に除去部材により除去されることとなる。
【００２２】
これにより、像担持回転体の静電転写後の表面に残留するトナーが回転ブラシと回転ロールとの双方で効率よく除去されるようになり、しかも、その回転ブラシはその除去したトナーが回転ロールにより回収されて常に清掃された状態に保たれることでその清掃能力が持続するようになり、これによっても残留トナーの除去が効率よく行なわれるようになる。また、クリーニング回転ブラシにはスクレーパ等の除去部材が設置されていないため、そのブラシ毛の変形による清掃能力の低下や寿命の短縮を誘発するおそれもない。さらに、回転ブラシと回転ロールで除去したトナーは、回転ロール側で最終的に除去部材によって除去されるため、そのトナーの回収部も１つで足りることになる。
【００２３】
また、その第１バイアス電圧と第２バイアス電圧を上記したような電位関係に設定した場合には、クリーニング回転ブラシで除去した残留トナーをクリーニング回転ロール側に静電的に吸引して確実に回収することができる。
【００２４】
また、そのクリーニング回転ブラシとクリーニング回転ロールに対して、上記したような各バイアス電圧が印加される対向電極をそれぞれ設置した場合には、その各回転ブラシと回転ロールでそれぞれ除去するトナーを適切な電界による静電的引力により確実にかつ効率良く除去できるようになる。また、この第３バイアスと第４バイアスの設定を調整することにより、第１バイアスと第２バイアスの前記したような電位関係（回転ブラシで除去したトナーを回転ロール側に静電的に吸着させる電界を形成するための電位）の設定がやり易くなることもある。勿論、第１バイアスと第２バイアスの電位関係を設定した後に、第３バイアスと第４バイアスの設定することも可能である。
【００２５】
さらに、クリーニング回転ロールの回転速度を上記したような速度に設定した場合には、その回転ロールが接触して回転する相手の回転ブラシに対するストレスを少なくすることができ、その回転ブラシの長寿命化にも有効となる。
【発明を実施するための最良の形態】
【００２６】
＜実施の形態１＞
図１は、本発明の実施の形態１に係るクリーニング装置を示す概略説明図である。
【００２７】
このクリーニング装置１は、たとえば電子写真方式等を利用して感光ドラムに形成するトナー像Ｔをその感光ドラムを通過するように回転する無端状の中間転写ベルト２に一次転写した後に、その中間転写ベルト２を介して記録シートに二次転写して定着する工程を経ることにより画像を形成する画像形成装置に適用されるものであり、ここではその中間転写ベルト２のクリーニング装置として使用している。
【００２８】
クリーニング装置１は、そのクリーニング対象である中間転写ベルト２の二次転写後の表面に接触して矢印方向に回転するように設置されるクリーニング回転ブラシ１０と、その中間転写ベルト２の回転方向においてクリーニング回転ブラシ１０よりも下流側の位置で中間転写ベルト２の表面と回転ブラシ１０の外周部との双方に接触して矢印方向に回転するように設置されるクリーニング回転ロール２０と、このクリーニング回転ロール２０の表面に接触してそのロール表面上のトナーをかき取るクリーニングブレード３０とを少なくとも備えている。なお、クリーニング回転ブラシ１０とクリーニング回転ロール２０は、図示されていないハウジングで囲まれている。
【００２９】
クリーニング回転ブラシ１０は、回転軸１１の周囲にブラシ毛１２を所定の密度となるように放射状に立設した構造のものであり、そのブラシ毛１２の先端部が中間転写ベルト２の表面（像担持面）に接するような状態で回転可能に支持されている。この回転ブラシ１０は、図示されていない駆動装置により中間転写ベルト２の回転方向とは逆の方向に回転駆動するようになっている。このときの回転ブラシ１０の回転速度は、中間転写ベルト１の回転速度（移動速度）と回転方向は異なるがほぼ同じ速度とする。
【００３０】
また、その回転軸１１には、クリーニング時において電源装置１５から所定の第１バイアス電圧が印加される。第１バイアス電圧としては、残留トナーの帯電極性に応じて適宜選定できるが、通常は極性の異なる残留トナーが混在していることを前提として、その割合の多い帯電極性の残留トナー分を静電的に吸着できるような電圧に設定される。この例では、マイナス極性（ここでは現像時における正規の帯電極性とする）に帯電している負帯電トナーを静電的に吸着できるような電圧に設定される。
【００３１】
クリーニング回転ロール２０は、回転軸２１に発泡ウレタンゴム層２２を形成し、さらにそのゴム層２２の表面にフッ素系樹脂材料をコーティングした構成のものであり、そのゴム層２２（厳密にはその表面に形成されたコーティング層）が中間転写ベルト２の表面とクリーニング回転ブラシ１０の外周部（ブラシ毛１２の先端部分）との双方に接するような状態で回転可能に支持されている。この回転ブラシ１０は、図示されていない駆動装置により中間転写ベルト２の回転方向とは逆の方向に回転駆動するようになっている。このときの回転ロール２０の回転速度は、クリーニング回転ブラシ１０の回転速度と同等またはそれより遅い速度に設定される。
【００３２】
また、その回転軸２１には、クリーニング時において電源装置２５から所定の第２バイアス電圧が印加される。第２バイアス電圧としては、クリーニング回転ブラシ１０で除去する残留トナーの帯電極性とは逆の極性の残留トナー分を静電的に吸着できるような電圧に設定される。この例では、プラス極性（ここでは正規極性とは反対の逆帯電極性とする）に帯電している正（逆）帯電トナーを静電的に吸着できるような電圧に設定される。
【００３３】
クリーニングブレード３０は、厚さ０．５ｍｍのステンレスからなるブレードが使用され、クリーニング回転ロール２０の中間転写ベルト２との接触後であってクリーニング回転ブラシ１０と接触する手前となる範囲内で回転ロール２０に食い込み量が１ｍｍとなるように圧接させている。また、このブレード３０でかき取ったトナーは、図示されていないトナー回収部に収容されるようになっている。
【００３４】
また、このクリーニング装置１においては、中間転写ベルト２の裏面側でクリーニング回転ブラシ１０と対向する位置にロール形態のブラシ用対向電極１７を設置しているとともに、その中間転写ベルト２の裏面側でクリーニング回転ロール２０と対向する位置にロール形態のロール用対向電極２７を設置している。
【００３５】
ブラシ用対向電極１７は、中間転写ベルト２に接触した状態でそのベルト２の移動方向と同じ方向にかつそのベルト２と同じ速度で回転するように設置されている。また、この対向電極１７には、クリーニング時において電源装置１８から所定の第３バイアス電圧が印加される。第３バイアス電圧は、クリーニング回転ブラシ１０により除去する対象の残留トナーが静電的にその回転ブラシ１０側に吸着されやすい電位関係となる電圧に（第１バイアス電圧等を考慮しながら）設定される。この例では、マイナス極性に帯電している負帯電トナーを回転ブラシ１０側に静電的に吸着されやすくなる電圧に設定される。
【００３６】
ロール用対向電極２７は、前記対向電極１７の場合と同様に、中間転写ベルト２に接触した状態でそのベルト２の移動方向と同じ方向にかつそのベルト２と同じ速度で回転するように設置されている。また、この対向電極２７には、クリーニング時において電源装置２８から所定の第４バイアス電圧が印加される。第４バイアス電圧は、クリーニング回転ロール２０により除去する対象の残留トナーが静電的にその回転ロール２０側に吸着されやすい電位関係となる電圧に（第２バイアス電圧等を考慮しながら）設定される。この例では、プラス極性に帯電している正帯電トナーを回転ロール２０側に静電的に吸着されやすくなる電圧に設定される。
【００３７】
さらに、このクリーニング装置１では、第１バイアス電圧と第２バイアス電圧について、クリーニング回転ブラシ１０で除去した残留トナーをクリーニング回転ロール２０側に静電的に吸着させる電界をその回転ブラシ１０と回転ロール２０の間に形成できるような電位関係を設定している。この電位関係の設定は、クリーニング回転ブラシ１０で除去する予定の残留トナーの帯電極性（この例ではマイナス極性）を基準にし、しかも対向電極１７，２７に印加する第３バイアスと第４バイアスの各印加電圧との関係も考慮しつつ選定される。
【００３８】
ちなみに、この例では、負帯電の残留トナーをクリーニング回転ブラシ１０に吸着させて除去する観点から、クリーニング回転ブラシ１０とその対向電極１７の電位差が「２００〜４００Ｖ」になるように、回転ブラシ１０に印加する第１バイアス電圧を「−１００〜０Ｖ程度」に、対向電極１７に印加する第３バイアス電圧を「−４００〜−３００Ｖ」程度にそれぞれ設定している。
【００３９】
また、正帯電の残留トナーをクリーニング回転ロール２０に吸着させて除去する観点から、クリーニング回転ロール２０とその対向電極２７の電位差が「２００〜４００Ｖ」となり、しかも、クリーニング回転ブラシ１０とクリーニング回転ロール２０の電位差が「２００〜４００Ｖ」となるように、回転ロール２０に印加する第２バイアス電圧を「−１００〜０Ｖ程度」に、対向電極１７に印加する第３バイアス電圧を「＋３００〜＋４００Ｖ」程度に、対向電極２７に印加する第４バイアス電圧を「＋５００〜＋６００Ｖ」程度に」にそれぞれ設定している。
【００４０】
次に、このクリーニング装置１の動作について説明する。
【００４１】
まず、クリーニング装置１は、基本的に、その適用される画像形成装置の画像形成動作と同期して稼動する。その画像形成動作における二次転写が終了した後の中間転写ベルト２上には、図２に示すように、帯電極性の異なる残留トナーＴａ（負帯電），Ｔｂ（正帯電）が存在する。これは、負帯電トナーにより画像形成を行なうシステムにおいては、その（二次）転写後において剥離放電により逆帯電する現象が起こるため、その転写後の中間転写ベルト２上には図５に例示するようにマイナス極とプラス極の両極の帯電分布をもつ未転写残留トナーが存在している。
【００４２】
この残留トナーＴａ，Ｔｂが付着する中間転写ベルト２は、はじめにクリーニング装置１のクリーニング回転ブラシ１０と接触しながら通過する。この際、ベルト上の残留トナーは、そのベルトの移動方向Ａとは逆方向に回転して進む回転ブラシ１０による強い掻き取り作用を受けると同時に、図２に示すように、第１バイアスおよび第２バイアスの印加によりその回転ブラシ１０とその対向電極１７との間に形成されている負帯電トナーを回転ブラシ１０側に静電的に吸着させる電界Ｅａの静電的作用を受ける。これにより、残留トナーのうち負帯電の残留トナーＴａが回転ブラシ１０（ブラシ毛１２）側に吸着されて除去される。一方、正帯電の残留トナーＴｂは、回転ブラシ１０に静電的に吸着されないため、中間転写ベルト２に担持されたまま素通りしてしまう。
【００４３】
続いて、クリーニング回転ブラシ１０を通過した中間転写ベルト２は、その下流側に位置するクリーニング回転ロール２０と接触しながら通過する。この際、ベルト上には回転ブラシ１０で除去されなかった正帯電の残留トナーＴｂは、図３に示すように、主に、第２バイアスおよび第４バイアスの印加によりその回転ロール２０とその対向電極２７との間に形成されている負帯電トナーを回転ロール２０側に静電的に吸着させる電界Ｅｂの静電的作用を受ける。これにより、その正帯電の残留トナーＴｂが回転ロール２０側に吸着されて除去される。
【００４４】
また、このクリーニング動作中においては、図４に示すように、クリーニング回転ロール２０がクリーニング回転ブラシ１０に接触して回転しているとともに、その両者間には、第１バイアスおよび第２バイアスの印加により負帯電トナーを回転ブラシ１０から回転ロール２０側に静電的に吸着させる電界Ｅｃが形成されている。これにより、その回転ブラシ１０に付着している除去後の負帯電の残留トナーＴａが、その両者間におけるかき取り作用と静電作用を受けることによって、回転ロール２０側に吸着されるように移行する。つまり、回転ブラシ１０上の除去後の残留トナーＴａが回転ロール２０側に回収されることになる。これにより、中間転写ベルト２に接触する回転ブラシ１０は常に清掃された状態に置かれるため、その清掃能力が低下することなく持続しやすくなる。
【００４５】
最後に、クリーニング回転ロール２０に吸着された残留トナーＴａ，Ｔｂは、クリーニングブレード３０によって掻き取られ、所定の回収部に収容される。
【００４６】
以上のようにして中間転写ベルト２上に二次転写後に付着していた帯電極性の異なる残留トナーＴａ，Ｔｂがクリーニング装置１によって効率よく除去される。また、回転ロール２０の回転速度を回転ブラシ１０の回転速度と同じ速度以下に設定しているため、その回転ブラシ１０はそのブラシ毛１２の変形なども発生しにくく長寿命化が可能である。
【００４７】
以下、このクリーニング装置１を用いてそのクリーニング効果を確認するために行った試験結果について説明する。
【００４８】
この試験を行うに当り、クリーニング装置１について以下の条件を採用した。
【００４９】
クリーニング回転ブラシ１０としては、径８ｍｍの金属製回転軸１１に長さ（高さ）６ｍｍのブラシ毛１２を立設した外径２０ｍｍのブラシロールを使用した。ブラシ毛１２には、１２ナイロンにカーボンを分散した導電性ブラシ毛（カネボウ製：ベルトロン。抵抗値２〜４ｌｏｇ・Ω）で太さ１０デニール、ブラシ密度８０本／ｉｎｃｈ2のものを使用した。この回転ブラシ１０は、中間転写ベル２の移動方向（速度１９４ｍｍ／ｓｅｃ）と反対の方向に同じ速度で回転させた。
【００５０】
クリーニング回転ロール２０としては、ロール基材のアルマイト層の表面にタフラム処理（三菱マテリアル製）を施した外径２０ｍｍのロールを使用した。この回転ロール２０は、中間転写ベル２の移動方向と同じ方向に同じ速度で回転させた。これにより、回転ロール２０は回転ブラシ１０ともその接触部（食い込み量：１．０ｍｍ程度）において同じ方向に同じ速度で回転する。ブレード３０としては、厚さ０．８ｍｍ、長さ１８ｍｍのステンレス板からなるものを使用し、回転ロール２０に食い込み量が０．８ｍｍとなるような状態で圧接させた。
【００５１】
ブラシ用対向電極１７およびロール用対向電極２７としては、そのいずれも回転軸に八方ウレタンゴム層を形成し、そのゴム層の表面にフッ素樹脂をコーティングした外径１８ｍｍのもの（体積抵抗率：８ｌｏｇ・Ω）を使用した。また、両対向電極の回転方向については、中間転写ベルト２の移動方向と一致する方向にした。
【００５２】
また、回転ブラシ１０には−１００Ｖの第１バイアスを印加し、回転ロール２０には＋３００Ｖの第２バイアス電圧を印加した。ブラシ用対向電極１７には−４００ｖの第３バイアス電圧を印加し、ロール用対向電極２７には＋６００Ｖの第４バイアス電圧を印加した。中間転写ベルト２としては、ポリイミドにカーボンブラックの導電化剤を適用含有させて体積抵抗率を：１２ｌｏｇΩ・ｃｍ程度に調製した厚みが０．１ｍｍ程度の無端ベルトを使用した。
【００５３】
そして、中間転写ベルト２を使用する画像形成装置において平均粒径６．５μｍの負帯電性重合トナーを使用した画像形成を行ない、その二次転写後に発生する残留トナーとして４．０ｇ／ｍ2の量のものを中間転写ベルト２に付着させて上記クリーニング装置１を１回通過させた。そのときに最後に中間転写ベルト２上に残ったトナーを採取して計測した。
【００５４】
その結果、０．０２ｇ／ｍ2以下という実用上まったく問題のないクリーニング効果が得られることを確認できた。
【００５５】
＜他の実施の形態＞
実施の形態１では、対向電極１７，２７としてロール形態のものを説明したが、それ以外にもたとえばプレート形態のものを使用してもよい。また、回転ロール２０の除去部材としてブレードタイプを使用する場合を説明したが、それ以外にも、たとえばブラシの形態のものを使用することもできる。
【００５６】
この他にも、クリーニング対象として中間転写ベルト２の場合を説明したが、転写後の残留トナーが発生する感光体等であってもよく（この場合におけるトナー像を転写する先の被転写体は記録シートや中間転写体などとなる）、その形態もベルト形態にかぎらずドラム形態のものであってもよい。
【図面の簡単な説明】
【００５７】
【図１】実施の形態１に係るクリーニング装置の要部を示す概略説明図である。
【図２】クリーニング回転ブラシを通過するときの残留トナーの除去状態を示す説明図である。
【図３】クリーニング回転ロールを通過するときの残留トナーの除去状態を示す説明図である。
【図４】クリーニング回転ブラシとクリーニング回転ロールの間におけるトナー回収の状態を示す説明図である。
【図５】中間転写ベルトの転写後に付着する残留トナーの帯電部分を示すグラフ図である。
【符号の説明】
【００５８】
１…クリーニング装置、２…中間転写ベルト（像担持回転体）、１０…クリーニング回転ブラシ、１５，２５，１８，２８…バイアス電源、１７…ブラシ用対抗電極、２０…クリーニング回転ロール、２７…ロール用対向電極、３０…クリーニングブレード（除去部材）、Ｔ…トナー像、Ｔａ，Ｔｂ…残留トナー、Ａ…回転方向。
【図１】
2006267946.tif 000003
【図２】
2006267946.tif 000004
【図３】
2006267946.tif 000005
【図４】
2006267946.tif 000006
【図５】
2006267946.tif 000007